(57)【要約】      （修正有）【課題】液晶表示装置の低コスト化を図る。【解決手段】バックライトは、部品搭載領域が長手方向に所定の配列ピッチで複数配置されたフレキシブル配線基板20を有し、フレキシブル配線基板は、各々が複数の部品搭載領域21を含み、部品搭載領域の配列方向に沿って配置されるフレーム部分20aと、１つ若しくは複数の部品搭載領域を含み隣り合う２つのフレーム部分の間に位置する折り曲げ部分20bとに区分され、折り曲げ部分を折り曲げることで、複数のフレーム部分が液晶表示パネルの表示部の第１の辺の延在方向に延在し、複数のフレーム部分が表示部の第２の辺の延在方向に併設された状態で液晶表示パネルと平面的に重なるように配置され、複数のフレーム部分の各々の部品搭載領域には、発光ダイオード32と発光ダイオード駆動回路を内蔵した半導体チップとが搭載され、折り返し部分の部品搭載領域には、発光ダイオード及び半導体チップを搭載しない。【選択図】図３
2009222793.tif 000002
【特許請求の範囲】
【請求項１】
バックライトと、前記バックライト上に配置される液晶表示パネルとを備えた液晶表示装置であって、
前記液晶表示パネルは、平面が第１の辺と前記第１の辺の延在方向に対して交差する第２の辺とを有する方形状の表示部を有し、
前記バックライトは、部品搭載領域が長手方向に所定の配列ピッチで複数配置されたフレキシブル配線基板を有し、
前記フレキシブル配線基板は、各々が複数の前記部品搭載領域を含み、各々が前記部品搭載領域の配列方向に沿って配置される複数のフレーム部分と、１つ若しくは複数の前記部品搭載領域を含み、隣り合う２つの前記フレーム部分の間に位置する折り曲げ部分とに区分され、
前記フレキシブル配線基板は、前記折り曲げ部分を折り曲げることによって、前記複数のフレーム部分が前記表示部の第１の辺の延在方向に沿って延在し、前記複数のフレーム部分が前記表示部の第２の辺の延在方向に沿って併設された状態で前記液晶表示パネルと平面的に重なるようにして配置され、
前記複数のフレーム部分の各々の部品搭載領域には、発光ダイオードと、前記発光ダイオードを駆動制御する駆動回路を内蔵した半導体チップとが搭載され、
前記折り返し部分の部品搭載領域には、前記発光ダイオード及び前記半導体チップが搭載されていないことを特徴とする液晶表示装置。
【請求項２】
請求項１に記載の液晶表示装置において、
前記フレキシブル配線基板の前記フレーム部分の延在方向は、前記表示部の表示ラインの方向であることを特徴とする液晶表示装置。
【請求項３】
請求項２に記載の液晶表示装置において、
前記フレキシブル配線基板の前記部品搭載領域の配列ピッチは、前記バックライトの点灯領域をｍ行×ｎ列のエリアに区分して得られた複数の区分エリアのうち、列方向に沿う前記区分エリアの配列ピッチであり、
前記フレキシブル配線基板の前記複数のフレーム部分の併設ピッチは、前記バックライトの点灯領域をｍ行×ｎ列のエリアに区分して得られた複数の区分エリアのうち、行方向に沿う前記区分エリアの配列ピッチであることを特徴とする液晶表示装置。
【請求項４】
請求項１に記載の液晶表示装置において、
前記フレキシブル配線基板の前記フレーム部分の延在方向は、前記液晶表示パネルの表示ラインの方向と交差する方向であることを特徴とする液晶表示装置。
【請求項５】
請求項４に記載の液晶表示装置において、
前記フレキシブル配線基板の前記部品搭載領域の配列ピッチは、前記バックライトの点灯領域をｍ行×ｎ列のエリアに区分して得られた複数の区分エリアのうち、行方向に沿う前記区分エリアの配列ピッチであり、
前記フレキシブル配線基板の前記複数のフレーム部分の併設ピッチは、前記バックライトの点灯領域をｍ行×ｎ列のエリアに区分して得られた複数の区分エリアのうち、列方向に沿う前記区分エリアの配列ピッチであることを特徴とする液晶表示装置。
【請求項６】
請求項１に記載の液晶表示装置において、
前記折り返し部分の幅は、前記部品搭載領域の幅よりも狭いことを特徴とする液晶表示装置。
【請求項７】
請求項１に記載の液晶表示装置において、
前記フレーム部分の前記部品搭載領域には、コネクタを介して実装基板が搭載され、
前記発光ダイオードは、前記実装基板に直接実装され、
前記半導体チップは、前記部品搭載領域に直接実装されていることを特徴とする液晶表示装置。
【請求項８】
請求項１に記載の液晶表示装置において、
前記発光ダイオード及び前記半導体チップは、前記部品搭載領域に直接実装されていることを特徴とすることを特徴とする液晶表示装置。
【請求項９】
バックライトと、前記バックライト上に配置される液晶表示パネルとを備えた液晶表示装置であって、
前記液晶表示パネルは、平面が第１の辺と前記第１の辺の延在方向に対して交差する第２の辺とを有する方形状の表示部を有し、
前記バックライトは、部品搭載領域が長手方向に所定の配列ピッチで複数配置されたフレキシブル配線基板を有し、
前記フレキシブル配線基板は、各々が複数の前記部品搭載領域を含み、各々が前記部品搭載領域の配列方向に沿って配置される第１及び第２のフレーム部分と、１つ若しくは複数の前記部品搭載領域を含み、隣り合う２つの前記フレーム部分の間に位置する折り曲げ部分とに区分され、
前記フレキシブル配線基板は、前記折り曲げ部分を折り曲げることによって、前記第１及び第２のフレーム部分が前記表示部の第１の辺の延在方向に沿って延在し、前記第１及び第２のフレーム部分が前記表示部の第２の辺の延在方向に沿って併設された状態で前記液晶表示パネルと平面的に重なるようにして配置され、
前記第１及び第２のフレーム部分の各々の部品搭載領域には、発光ダイオードと、前記発光ダイオードを駆動制御する駆動回路を内蔵した半導体チップとが搭載され、
前記折り返し部分の部品搭載領域には、前記発光ダイオード及び前記半導体チップが搭載されていないことを特徴とする液晶表示装置。
【発明の詳細な説明】
【技術分野】
【０００１】
本発明は、液晶表示装置に関し、特に、ＬＥＤバックライトを有する液晶表示装置に適用して有効な技術に関するものである。
【背景技術】
【０００２】
液晶表示装置は、画素自体が発光しないため、液晶表示パネルに光を照射するバックライトを備えている。バックライトとしては、冷陰極蛍光管（Cold Cathode Fluorescent Lamp）を用いたバックライトや、発光ダイオード(ＬＥＤ：Light Emitting Diode)を用いたバックライト（以下、ＬＥＤバックライトと言う）が知られている。
本発明は、ＬＥＤバックライトを有する液晶表示装置に関するものであり、本発明に関連する先行技術文献としては、以下のものがある。
【０００３】
【特許文献１】特開平７−１９１３１１号公報
【発明の開示】
【発明が解決しようとする課題】
【０００４】
ところで、テレビ用バックライトとして、バックライトの点灯領域（光照射領域）を複数のエリアに区分し、１つの区分エリアを１単位として単位毎に点灯制御するバックライトが知られている。このバックライトは、例えば複数の区分エリアに対応してＬＥＤ及びこのＬＥＤの動作を駆動制御するＬＥＤ駆動用ＩＣチップを配置した構成になっており、動画特性の改善や低消費電力化に好適である。
しかしながら、区分エリア内でのＬＥＤ及びＬＥＤ駆動用ＩＣチップとの電気的な接続、区分エリア間の電気的な接続、各区分エリアのＬＥＤ駆動用ＩＣチップと、これらのＬＥＤ駆動用ＩＣチップを制御する制御用ＩＣチップとの電気的な接続等を個別の配線材で行っているため、液晶表示装置自体が重くなってしまう。
そこで、個別の線材の代わりにプリント配線基板（ＰＣＢ）を使用し、このプリント配線基板上に、複数の区分エリアに対応して複数のＬＥＤ及びＬＥＤ駆動用ＩＣチップを２次元的に配置することにより軽量化を図ることができる。
しなしながら、この場合、テレビの画面サイズ（型）に応じて大きさの異なるプリント配線基板を揃える必要があり、製品コストを押し上げる要因となる。また、テレビの画面サイズは大型化の傾向にあり、例えば４０型の画面サイズに対応してプリント配線基板を作ろうとすると、かなりのコスト高になってしまう。
本発明の目的は、液晶表示装置の低コスト化を図ることが可能な技術を提供することにある。
本発明の前記並びにその他の目的と新規な特徴は、本明細書の記述及び添付図面によって明らかになるであろう。
【課題を解決するための手段】
【０００５】
本願において開示される発明のうち、代表的なものの概要を簡単に説明すれば、下記の通りである。
本発明の液晶表示装置は、プリント配線基板の代わりに、部品搭載領域が長手方向に所定の配列ピッチで複数配置されたフレキシブル配線基板を用いる。フレキシブル配線基板は、各々が複数の前記部品搭載領域を含み、各々が前記部品搭載領域の配列方向に沿って配置される複数のフレーム部分と、１つ若しくは複数の前記部品搭載領域を含み、隣り合う２つの前記フレーム部分の間に位置する折り曲げ部分（折り返し部分）とに区分され、液晶表示装置の製造において、前記複数のフレーム部分が液晶表示パネルの表示部の第１の辺の延在方向に沿って延在し、前記複数のフレーム部分が前記液晶表示パネルの表示部の第１の辺と交差する第２の辺の延在方向に沿って多段に併設されるように前記折り曲げ部分（折り返し部分）を折り曲げ（折り返し）て組み込む。
【０００６】
前記フレーム部分及び前記折り曲げ部分の各々の長さは、前記液晶表示パネルの大きさに応じて前記部品搭載領域の個数を変えることによって調整する。前記フレーム部分の段数（併設数）は、前記液晶表示パネルの大きさに応じて調整する。
前記フレーム部分の前記部品搭載領域には、発光ダイオード（ＬＥＤ）及びこのＬＥＤの動作を駆動制御するＬＥＤ駆動用ＩＣチップを搭載するが、前記折り曲げ部分の前記部品搭載領域には、ＬＥＤ及びＬＥＤ駆動用ＩＣチップは搭載しない。
前記フレキシブル配線基板は、リールに巻き付けられて保管されており、製品対象となる液晶表示装置の画面サイズに合わせて所定の長さに切断され、組み立て工程に供給される。
【０００７】
前記フレキシブル配線基板の前記部品搭載領域の配列ピッチは、バックライトの点灯領域を平面的にｍ行×ｎ列のエリアに区分して得られた複数の区分エリアの配列ピッチに対応させるが、前記フレキシブル配線基板のフレーム部分を列方向に延在させ、前記フレキシブル配線基板のフレーム部分を行方向に多段に併設させる場合は、前記部品搭載領域の配列ピッチを列方向に沿う区分エリアの配列ピッチとし、前記フレキシブル配線基板のフレーム部分を行方向に延在させ、前記フレキシブル配線基板のフレーム部分を列方向に多段に併設させる場合は、前記部品搭載領域の配列ピッチを行方向に沿う区分エリアの配列ピッチとする。
【０００８】
このようにしてフレキシブル配線基板が組み込まれる液晶表示装置は、以下の特徴を有する。
即ち、本発明の液晶表示装置は、バックライトと、前記バックライト上に配置される液晶表示パネルとを備えた液晶表示装置であって、
前記液晶表示パネルは、平面が第１の辺と前記第１の辺の延在方向に対して交差する第２の辺とを有する方形状の表示部を有し、
前記バックライトは、部品搭載領域が長手方向に所定の配列ピッチで複数配置されたフレキシブル配線基板を有し、
前記フレキシブル配線基板は、各々が複数の前記部品搭載領域を含み、各々が前記部品搭載領域の配列方向に沿って配置される複数のフレーム部分と、１つ若しくは複数の前記部品搭載領域を含み、隣り合う２つの前記フレーム部分の間に位置する折り曲げ部分とに区分され、
前記フレキシブル配線基板は、前記折り曲げ部分を折り曲げることによって、前記複数のフレーム部分が前記表示部の第１の辺の延在方向に沿って延在し、前記複数のフレーム部分が前記表示部の第２の辺の延在方向に沿って併設された状態で前記液晶表示パネルと平面的に重なるようにして配置され、
前記複数のフレーム部分の各々の部品搭載領域には、発光ダイオードと、前記発光ダイオードを駆動制御する駆動回路を内蔵した半導体チップとが搭載され、
前記折り曲げ部分の部品搭載領域には、前記発光ダイオード及び前記半導体チップが搭載されていないことを特徴とする液晶表示装置である。
【発明の効果】
【０００９】
本願において開示される発明のうち代表的なものによって得られる効果を簡単に説明すれば、下記のとおりである。
本発明によれば、液晶表示装置の低コスト化を図ることができる。
【発明を実施するための最良の形態】
【００１０】
以下、図面を参照して本発明の実施例を詳細に説明する。なお、発明の実施例を説明するための全図において、同一機能を有するものは同一符号を付け、その繰り返しの説明は省略する。
【００１１】
［実施例１］
本実施例１では、大型テレビの表示画面として使用される液晶表示装置に本発明を適用した例について説明する。
図１乃至図８は、本発明の実施例１である液晶表示装置に係る図であり、
図１は、液晶表示パネルの表示面側を示す平面図、
図２は、図１のＡ−Ａ線に沿った断面構造を示す断面図、
図３は、バックライトを構成するフレキシブル配線基板の配置状態を示す平面図、
図４は、図３において、ＬＥＤ実装用基板を除去した状態を示す平面図、
図５は、図４の一部（図に向かって左上の角部分）を拡大した平面図、
図６は、図４の一部（図に向かって右上の角部分）を拡大した平面図、
図７−１は、ＬＥＤの実装状態を示す平面図、
図７−２は、ＬＥＤの大きさを示す図、
図８は、図３のコネクタ部分２０ｃを拡大した平面図である。
【００１２】
図２に示すように、本実施例１の液晶表示装置は、液晶表示パネル１と、この液晶表示パネル１に光を照射するバックライト２とを備えている。液晶表示パネル１は、バックライト２と平面的に重なるようにしてバックライト２上に配置されている。
液晶表示パネル１は、第１の基板と第２の基板との間に液晶層を挟持した構造になっており、平面が方形状で形成されている。第１及び第２の基板としては例えばガラス等の透明な絶縁性基板が用いられている。
液晶表示パネル１は、図１に示すように表示部１１を有している。表示部１１は、平面が第１の辺１１ａとこの第１の辺１１ａの延在方向に対して直交する第２の辺１１ｂとを有する方形状で形成されており、表示部１１には液晶サブピクセルがマトリクス状に複数配置されている。また、表示部１１には、第１の辺１１ａの延在方向に沿って延在する走査線と、第２の辺１１ｂの延在方向に沿って延在する映像線とが配置されている。走査線は、第２の辺１１ｂの延在方向に所定の間隔を置いて複数本配置され、映像線は、第１の辺１１ａの延在方向に所定の間隔を置いて複数本配置されている。複数の走査線は複数本の映像線と絶縁膜を介在して交差しており、これらの走査線と映像線とが交差する各交点付近には、液晶サブピクセルのスイッチング素子として使用される薄膜トランジスタ（ＴＦＴ：Thin Film Transistor）が設けられている。
【００１３】
なお、複数の液晶サブピクセルの各々は、第１の辺１１ａの延在方向（Ｘ方向）及び第２の辺１１ｂの延在方向（Ｙ方向）においてマトリクス状に配置されており、第１の辺１１ａの延在方向に沿って一列で配置された複数の液晶サブピクセルで１表示ラインが構成され、この１表示ラインは第２の辺１１ｂの延在方向に沿って複数設けられている。即ち、第１の辺１１ａは表示ラインの方向に沿って延在し、第２の辺１１ｂは走査方向に沿って延在している。
【００１４】
バックライトは、図２に示すように、フレキシブル配線基板２０と、ＬＥＤ実装用基板３１と、発光ダイオード(ＬＥＤ：Light Emitting Diode)３２と、コネクタ３３と、発光ダイオード３２を駆動制御する駆動回路が内蔵された半導体チップ３４（以下、単にＩＣチップという）と、裏打ち基板３５と、光拡散レンズ３６とを有している。
本実施例１のバックライト２は、液晶表示パネル１の表示部１１に光を照射するための点灯領域（光照射領域）を、図１に示すように、ｍ行×ｎ列のエリアに区分して得られた複数の区分エリア１２に対応して発光ダイオード３２及びＩＣチップ３４を配置しており、１つの区分エリア１２を１単位として単位毎に点灯制御する構成になっている。
【００１５】
本実施例１の液晶表示装置は、発光ダイオード３２及びＩＣチップ３４を搭載する媒体として、図２乃至図６に示すように、長尺状のフレキシブル配線基板２０を用いている。フレキシブル配線基板２０は、部品搭載領域２１（図５及び図６参照）がフレキシブル配線基板２０の長手方向に所定の配列ピッチで複数配置された構成になっている。
フレキシブル配線基板２０は、図４乃至図６に示すように、各々が複数の部品搭載領域２１を含み、各々が部品搭載領域２１の配列方向に沿って配置される複数のフレーム部分２０ａと、１つ若しくは複数の部品搭載領域２１を含み、部品搭載領域２１の配列方向に隣り合う２つのフレーム部分２０ａの間に位置する折り曲げ部分（折り返し部分）２０ｂとに区分されている。
【００１６】
フレキシブル配線基板２０は、折り曲げ部分（折り返し部分）２０ｂを折り曲げる（折り返す）ことによって、複数のフレーム部分２０ａが第１の方向に沿って延在し、複数のフレーム部分２０ａが前記第１の方向と直交する第２の方向に沿って併設された状態で液晶表示パネル１と平面的に重なるように配置されている。本実施例１でのフレキシブル配線基板２０は、複数のフレーム部分２０ａが液晶表示パネル１の表示部１１の第１の辺１１ａの延在方向（１表示ラインの方向）に沿って延在し、複数のフレーム部分２０ａが液晶表示パネル１の表示部１１の第２の辺の延在方向（走査方向）に沿って併設された状態で液晶表示パネル１と平面的に重なるように配置されている。このようにしてフレキシブル配線基板２０を配置することにより、バックライト２の点灯領域には、複数の部品搭載領域２１がマトリクス状に配置される。
なお、フレキシブル配線基板２０は、図８に示すように、外部との電気的な接続を行うためのコネクタ部分２０ｃが一端側に設けられている。図中、２０ｃ１はコネクタ接続用金メッキ端子である。このコネクタ部分２０ｃの横方向寸法（長手方向の寸法）は、部品搭載領域２１の長手方向の配列ピッチの整数である。
【００１７】
複数のフレーム部分２０ａの各々の部品搭載領域２１には、発光ダイオード３２及びＩＣチップ３４が搭載されている。一方、折り曲げ部分２０ｂの部品搭載領域２１には、発光ダイオード３２及びＩＣチップ３４は搭載されていない。本実施例１では、図２に示すように、フレーム部分２０ａの部品搭載領域２１にはコネクタ３３を介してＬＥＤ実装用基板３１が搭載され、発光ダイオード３２はＬＥＤ実装用基板３１に直接実装され、ＩＣチップ３４はフレーム部分２０ａの部品搭載領域２１に直接実装されている。
発光ダイオード３２及びＩＣチップ３４は、フレキシブル配線基板２０の主面側に搭載されている。フレキシブル配線基板２０の主面と反対側の裏面側には裏打ち基板３５が配置されており、フレキシブル配線基板２０は裏打ち基板３５に固定されている。
発光ダイオード３２としては、赤（Ｒ）、緑（Ｇ）、青（Ｂ）の３色の発光ダイオードが用いられており、これら３色の発光ダイオードを１グループとして搭載されている。本実施例１では、４つのグループの発光ダイオード３２がＬＥＤ実装用基板３１に直接実装されている。
【００１８】
なお、ＬＥＤ実装用基板３１は平面が方形状で形成されており、本実施例では図７−１に示すように、例えば６０ｍｍ×８５ｍｍの長方形で形成されている。
また、４つのグループの発光ダイオード３２は、図７−１に示すように、例えば縦方向に５３．９ｍｍの配列ピッチ、横方向に４７．８ｍｍの配列ピッチで配置されている。各グループの発光ダイオード３２は、図７−２に示すように、発光面側から見た外形形状が例えば２１ｍｍ×１１ｍｍの長方形になっている。
また、裏打ち基板３５の厚さは例えば１ｍｍ、フレキシブル配線基板２０の厚さは例えば０．１ｍｍ、ＬＥＤ実装用基板３１の厚さは例えば０．５ｍｍ、発光ダイオード３２の厚さは例えば０．５ｍｍである。
また、図２に示すように、フレキシブル配線基板２０の主面とＬＥＤ実装用基板３１の裏面との間は例えば３．０ｍｍ、発光ダイオード３２の発光面から裏打ち基板３５の裏面までの厚さ（高さ）は、例えば５．１ｍｍである。
また、本実施例のフレキシブル配線基板２０はＬＥＤ実装用基板３１の幅よりも狭い幅、例えば１０ｍｍ程度の幅で形成されており、この寸法幅で連続的に形成されている。
【００１９】
フレキシブル配線基板２０は、例えば可撓性の絶縁性樹脂フィルムを主体に形成され、絶縁性樹脂フィルムの主面若しくは主面及び裏面に配線層が形成された構成になっている。配線層には、各部品搭載領域２１のＩＣチップ３４と、これらのＩＣチップ３４を制御する制御用ＩＣチップ（ＭＰＵ）（図示せず）とを電気的に接続するためのグローバル配線、ＩＣチップ３４のカスケード接続配線、ＩＣチップ３４と発光ダイオード３２とを電気的に接続するための配線等が形成されている。各部品搭載領域２１に搭載されたＩＣチップ３４は、制御用ＩＣチップによってシリアル制御される。
【００２０】
本実施例１の液晶表示装置は、発光ダイオード３２及びＩＣチップ３４を搭載する媒体として、長手方向に沿って部品搭載領域２１が複数配置された長尺状のフレキシブル配線基板２０を用いている。
フレキシブル配線基板２０は、各々が複数の部品搭載領域２１を含み、各々が部品搭載領域２１の配列方向に沿って配置される複数のフレーム部分２０ａと、１つ若しくは複数の部品搭載領域２１を含み、部品搭載領域２１の配列方向に隣り合う２つのフレーム部分２０ａの間に位置する折り曲げ部分２１ｂとに区分され、液晶表示装置の製造において、複数のフレーム部分２０ａが液晶表示パネル１の表示部１１の第１の辺１１ａの延在方向に沿って延在し、複数のフレーム部分２０ａが液晶表示パネル１の表示部１１の第１の辺１１ａと交差する第２の辺１１ｂの延在方向に沿って多段に併設されるように折り曲げ部分２０ｂを折り曲げることによって組み込まれる。
【００２１】
フレーム部分２０ａ及び折り曲げ部分２０ｂの各々の長さは、液晶表示パネル１（テレビ画面）の大きさに応じて部品搭載領域２１の個数を変えることによって調整する。フレーム部分２０ａの段数（併設数）は、液晶表示パネル１の大きさに応じて調整する。
フレーム部分２０ａの部品搭載領域２１には、発光ダイオード（ＬＥＤ）３２及びＩＣチップ３４を搭載するが、折り曲げ部分２０ｂの部品搭載領域２１には、発光ダイオード３２及びＩＣチップ３４は搭載しない。
フレキシブル配線基板２０は、リールに巻き付けられて保管されており、製品対象となる液晶表示装置の画面サイズに合わせて所定の長さに切断され、組み立て工程に供給される。
フレキシブル配線基板２０の部品搭載領域２１の配列ピッチは、バックライト２の点灯領域（光照射領域）を平面的にｍ行×ｎ列のエリアに区分して得られた複数の区分エリア１２のうち、列方向（１表示ラインの方向）に沿う区分エリア１２の配列ピッチｐ１となり、フレキシブル配線基板２０の複数のフレーム部分２０ａの併設ピッチは、バックライト２の点灯領域（光照射領域）を平面的にｍ行×ｎ列のエリアに区分して得られた複数の区分エリア１２のうち、行方向（走査方向）に沿う区分エリア１２の配列ピッチｐ２となる。
【００２２】
このようにしてフレキシブル配線基板２０を用いることにより、大きさの異なる多種類の液晶表示パネル１に対して１種類のフレキシブル配線基板２０での対応が可能となるため、液晶表示パネルの画面サイズに対応して異なる大きさのプリント配線基板を揃える場合と比較して、液晶表示装置の低コスト化を図ることができる。
【００２３】
［実施例２］
図９は、本発明の実施例２である液晶表示装置において、バックライトを構成するフレキシブル配線基板の配置状態を示す平面図である。
本実施例２の液晶表示装置は、基本的に前述の実施例１と同様の構成になっており、以下の構成が異なっている。
即ち、前述の実施例１では、フレキシブル配線基板２０の折り曲げ配置として、複数のフレーム部分２０ａが液晶表示パネル１の表示部１１の第１の辺１１ａの延在方向に沿って延在し、複数のフレーム部分２０ａが液晶表示パネル１の表示部１１の第２の辺１１ｂの延在方向に沿って多段に併設された例について説明したが、本実施例２では、複数のフレーム部分２０ａが液晶表示パネル１の表示部１１の第２の辺１１ｂの延在方向に沿って延在し、複数のフレーム部分２０ａが液晶表示パネル１の表示部１１の第１の辺１１ａの延在方向に沿って多段に併設された状態で配置されている。この場合、フレキシブル配線基板２０の部品搭載領域２１の配列ピッチは、バックライト２の点灯領域をｍ行×ｎ列のエリアに区分して得られた複数の区分エリア１２のうち、行方向（走査方向）に沿う区分エリア１２の配列ピッチとなり、フレキシブル配線基板２０の複数のフレーム部分２０ａの併設ピッチは、バックライト２の点灯領域をｍ行×ｎ列のエリアに区分して得られた複数の区分エリア１２のうち、列方向（１表示ラインの方向）に沿う区分エリア１２の配列ピッチとなる。
本実施例２においても、前述の実施例１と同様に液晶表示装置の低コスト化を図ることができる。
また、本実施例２の場合、ＬＥＤ実装用基板３１を吊す状態となり、支え易くなる。
【００２４】
［実施例３］
図１０及び図１１は、本発明の実施例３である液晶表示装置に係る図であり、
図１０は、バックライトを構成するフレキシブル配線基板の配置状態を示す平面図、
図１１は、液晶表示装置の断面構造を示す断面図である。
本実施例３の液晶表示装置は、基本的に前述の実施例１と同様の構成になっており、以下の構成が異なっている。
【００２５】
即ち、前述の実施例１では、フレキシブル配線基板２０の部品搭載領域２１に発光ダイオード３２及びＩＣチップ３４を搭載する方法として、部品搭載領域２１にコネクタ３３を介してＬＥＤ実装用基板３１が搭載され、ＬＥＤ実装用基板３１に発光ダイオード３２が直接実装され、部品搭載領域２１にＩＣチップ３４が直接実装された例について説明したが、本実施例３では、部品搭載領域２１に発光ダイオード３２及びＩＣチップ３４が直接実装されている。また、フレキシブル配線基板２０の主面とは反対側に各部品搭載領域２１に対応して補強板３７が設けられている。また、フレキシブル配線基板２０の幅が実施例１の場合よりも広くなっている。
なお、ＩＣチップ３４の上面から裏打ち基板３５の裏面までの厚さ（高さ）は、例えば２．３ｍｍである。
本実施例３においても、前述の実施例１と同様に液晶表示装置の低コスト化を図ることができる。
また、本実施例３の場合、コネクタ３３を不用とするコネクタレスになっているため、前述の実施例１と比較して、液晶表示装置の薄型化を図ることができる。
【００２６】
［実施例４］
図１２は、本発明の実施例４である液晶表示装置において、バックライトを構成するフレキシブル配線基板の配置状態を示す平面図である。
本実施例４の液晶表示装置は、基本的に前述の実施例３と同様の構成になっており、以下の構成が異なっている。
即ち、前述の実施例３では、フレキシブル配線基板２０のフレーム部分２０ａと折り曲げ部分２０ｂとが同一の幅で形成された例について説明したが、本実施例４では、折り曲げ部分２０ｂの幅がフレーム部分２０ａの幅よりも狭くなっている。
本実施例においても、前述の実施例１と同様に液晶表示装置の低コスト化を図ることができる。
また、本実施例４の場合、実施例３と比較して折り曲げ部分の折り曲げが容易となり、ねじれ、しわ等の発生を抑制できるため、液晶表示装置の生産性向上を図ることができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２７】
【図１】本発明の実施例１である液晶表示装置において、液晶表示パネルの表示面側を示す平面図である。
【図２】図１のＡ−Ａ線に沿った断面構造を示す断面図である。
【図３】本発明の実施例１である液晶表示装置において、バックライトを構成するフレキシブル配線基板の配置状態を示す平面図である。
【図４】図３において、ＬＥＤ実装用基板を除去した状態を示す平面図である。
【図５】図４の一部（図に向かって左上の角部分）を拡大した平面図である。
【図６】図４の一部（図に向かって右上の角部分）を拡大した平面図である。
【図７−１】ＬＥＤの実装状態を示す平面図である。
【図７−２】ＬＥＤの大きさを示す図である。
【図８】図３のコネクタ部分２０ｃを拡大した平面図である。
【図９】本発明の実施例２である液晶表示装置において、バックライトを構成するフレキシブル配線基板の配置状態を示す平面図である。
【図１０】本発明の実施例３である液晶表示装置において、バックライトを構成するフレキシブル配線基板の配置状態を示す平面図である。
【図１１】本発明の実施例３である液晶表示装置の断面構造を示す断面図である。
【図１２】本発明の実施例４である液晶表示装置において、バックライトを構成するフレキシブル配線基板の配置状態を示す平面図である。
【符号の説明】
【００２８】
１…液晶表示パネル
２…バックライト
１１…表示部
１１ａ，１１ｂ…辺
１２…区分エリア
２０…フレキシブル配線基板
２０ａ…フレーム部分
２０ｂ…折り曲げ部分
２０ｃ…コネクタ部分
２１…部品搭載領域
３１…ＬＥＤ実装用基板
３２…発光ダイオード（ＬＥＤ）
３３…コネクタ
３４…半導体チップ（ＩＣチップ）
３５…裏打ち基板
３６…光拡散レンズ
３７…補強板
【図１】
2009222793.tif 000003
【図２】
2009222793.tif 000004
【図３】
2009222793.tif 000005
【図４】
2009222793.tif 000006
【図５】
2009222793.tif 000007
【図６】
2009222793.tif 000008
【図７−１】
2009222793.tif 000009
【図７−２】
2009222793.tif 000010
【図８】
2009222793.tif 000011
【図９】
2009222793.tif 000012
【図１０】
2009222793.tif 000013
【図１１】
2009222793.tif 000014
【図１２】
2009222793.tif 000015